(57)【要約】【課題】光の照射及び電圧の印加に応じて階調を変化させる表示媒体に、階調を変化させるべき位置のいずれに対しても、あらかじめ決められた量以上のエネルギー量の光を照射できるようにすること。【解決手段】記録装置１０は、光の照射及び電圧の印加に応じて階調を変化させる表示媒体２００に対して画像を記録する。記録装置１０は、指示体３０により指示された位置のそれぞれに対して、照射される光のエネルギー量があらかじめ決められた量以上になる場合と、検知が行われなくなる場合の少なくともいずれかを満たすまで光を照射する。記録装置１０は、第１の期間に位置が連続的に検知され、かつ、第１の期間後であって第１の期間に連続しない第２の期間に位置が連続的に検知された場合に、第１の期間に検知された位置のうちのエネルギー量があらかじめ決められた量に満たない位置に対して第２の期間に光を照射させる。【選択図】図１
2011197252.tif 000002
【特許請求の範囲】
【請求項１】
光の照射及び電圧の印加に応じて階調を変化させる表示媒体に電圧を印加する電圧印加手段と、
前記表示媒体において指示体により指示された位置を検知する検知手段と、
前記電圧印加手段による前記表示媒体への電圧の印加に応じて、当該表示媒体において前記検知手段により検知された位置に、前記指示体が指示する側と反対の側から光を照射する照射手段と、
前記検知手段により検知された位置のそれぞれに対して、照射される光のエネルギー量があらかじめ決められた量以上になる場合と、前記検知が行われなくなる場合の少なくともいずれかを満たすまで光が照射されるように、前記照射手段を制御する第１の制御手段と、
前記検知手段により、第１の期間に位置が連続的に検知され、かつ、前記第１の期間後であって当該第１の期間に連続しない第２の期間に位置が連続的に検知された場合に、当該第１の期間に検知された位置のうちの前記エネルギー量が前記あらかじめ決められた量に満たない位置に対して前記第２の期間に光を照射させる第２の制御手段と
を備えることを特徴とする記録装置。
【請求項２】
前記制御手段は、
前記検知手段により前記第１の期間に位置が検知された後、あらかじめ決められた期間以内に前記第２の期間が生じない場合と利用者による操作があった場合の少なくともいずれかに、当該第１の期間に検知された位置のうちの前記エネルギー量が前記あらかじめ決められた量に満たない位置に対して光を照射させる
ことを特徴とする請求項１に記載の記録装置。
【請求項３】
前記照射手段は、
前記表示媒体のあらかじめ決められた領域に向けて光を照射する光源と、前記検知手段により検知され得る位置に対応して設けられ、各々が、前記光源により照射される光を前記あらかじめ決められた領域へと透過させ、又は遮る複数の調光素子とを有し、
前記複数の調光素子の各々を制御することによって光の照射位置を制御し、前記検知手段により前記位置が検知されている期間があらかじめ決められた時間以上連続した場合に、前記照射手段による光の照射を一時的に中断する第３の制御手段をさらに備える
ことを特徴とする請求項１又は２に記載の記録装置。
【請求項４】
光の照射及び電圧の印加に応じて階調を変化させる表示媒体を有する表示手段と、
前記表示手段に電圧を印加する電圧印加手段と、
前記表示媒体において指示体により指示された位置を検知する検知手段と、
前記電圧印加手段による前記表示媒体への電圧の印加に応じて、当該表示媒体において前記検知手段により検知された位置に、前記指示体が指示する側と反対の側から光を照射する照射手段と、
前記検知手段により位置が検知された位置のそれぞれ対して、照射される光のエネルギー量があらかじめ決められた量以上になる場合と、前記検知が行われなくなる場合の少なくともいずれかを満たすまで光が照射されるように、前記照射手段を制御する制御手段と、
前記検知手段により、第１の期間に位置が連続的に検知され、かつ、前記第１の期間後であって当該第１の期間に連続しない第２の期間に位置が連続的に検知された場合に、当該第１の期間に検知された位置のうちの前記エネルギー量が前記あらかじめ決められた量に満たない位置に対して前記第２の期間に光を照射させる第２の制御手段と
を備えることを特徴とする表示装置。
【発明の詳細な説明】
【技術分野】
【０００１】
本発明は、記録装置及び表示装置に関する。
【背景技術】
【０００２】
利用者が書き込んだ情報を表示する情報処理装置が知られている。特許文献１には、利用者の指定する位置を検出し、検出された位置情報に応じた情報をシート型表示装置に表示させる情報処理装置に関する技術が開示されている。
【先行技術文献】
【特許文献】
【０００３】
【特許文献１】特開２００７−２０６８４５号公報
【発明の概要】
【発明が解決しようとする課題】
【０００４】
本発明の目的は、光の照射及び電圧の印加に応じて階調を変化させる表示媒体に、階調を変化させるべき位置のいずれに対しても、あらかじめ決められた量以上のエネルギー量の光を照射できるようにすることである。
【課題を解決するための手段】
【０００５】
本発明の請求項１に係る記録装置は、光の照射及び電圧の印加に応じて階調を変化させる表示媒体に電圧を印加する電圧印加手段と、前記表示媒体において指示体により指示された位置を検知する検知手段と、前記電圧印加手段による前記表示媒体への電圧の印加に応じて、当該表示媒体において前記検知手段により検知された位置に、前記指示体が指示する側と反対の側から光を照射する照射手段と、前記検知手段により検知された位置のそれぞれに対して、照射される光のエネルギー量があらかじめ決められた量以上になる場合と、前記検知が行われなくなる場合の少なくともいずれかを満たすまで光が照射されるように、前記照射手段を制御する第１の制御手段と、前記検知手段により、第１の期間に位置が連続的に検知され、かつ、前記第１の期間後であって当該第１の期間に連続しない第２の期間に位置が連続的に検知された場合に、当該第１の期間に検知された位置のうちの前記エネルギー量が前記あらかじめ決められた量に満たない位置に対して前記第２の期間に光を照射させる第２の制御手段とを備えることを特徴とする。
【０００６】
本発明の請求項２に係る記録装置は、前記制御手段は、前記検知手段により前記第１の期間に位置が検知された後、あらかじめ決められた期間以内に前記第２の期間が生じない場合と利用者による操作があった場合の少なくともいずれかに、当該第１の期間に検知された位置のうちの前記エネルギー量が前記あらかじめ決められた量に満たない位置に対して光を照射させることを特徴とする。
【０００７】
本発明の請求項３に係る記録装置は、前記照射手段は、前記表示媒体のあらかじめ決められた領域に向けて光を照射する光源と、前記検知手段により検知され得る位置に対応して設けられ、各々が、前記光源により照射される光を前記あらかじめ決められた領域へと透過させ、又は遮る複数の調光素子とを有し、前記複数の調光素子の各々を制御することによって光の照射位置を制御し、前記検知手段により前記位置が検知されている期間があらかじめ決められた時間以上連続した場合に、前記照射手段による光の照射を一時的に中断する第３の制御手段をさらに備えることを特徴とする。
【０００８】
本発明の請求項４に係る表示装置は、光の照射及び電圧の印加に応じて階調を変化させる表示媒体を有する表示手段と、前記表示手段に電圧を印加する電圧印加手段と、前記表示媒体において指示体により指示された位置を検知する検知手段と、前記電圧印加手段による前記表示媒体への電圧の印加に応じて、当該表示媒体において前記検知手段により検知された位置に、前記指示体が指示する側と反対の側から光を照射する照射手段と、前記検知手段により位置が検知された位置のそれぞれ対して、照射される光のエネルギー量があらかじめ決められた量以上になる場合と、前記検知が行われなくなる場合の少なくともいずれかを満たすまで光が照射されるように、前記照射手段を制御する制御手段と、前記検知手段により、第１の期間に位置が連続的に検知され、かつ、前記第１の期間後であって当該第１の期間に連続しない第２の期間に位置が連続的に検知された場合に、当該第１の期間に検知された位置のうちの前記エネルギー量が前記あらかじめ決められた量に満たない位置に対して前記第２の期間に光を照射させる第２の制御手段とを備えることを特徴とする。
【発明の効果】
【０００９】
請求項１、４に係る発明によれば、光の照射及び電圧の印加に応じて階調を変化させる表示媒体に、階調を変化させるべき位置のいずれに対しても、あらかじめ決められた量以上のエネルギー量の光を照射できる。
請求項２に係る発明によれば、第２の期間が検知されない場合に、表示媒体の階調を変化させるいずれの位置に対しても、あらかじめ決められた量以上のエネルギー量の光を照射させることができる。
請求項３に係る発明によれば、光を透過させ、又は遮る複数の調光素子を有する照射手段が表示媒体に光を照射する場合であって、位置が検知されている期間があらかじめ決められた時間以上連続した場合に、電圧の印加を一時的に中断しない構成に比べて、階調を変化させるべき位置以外の位置における表示媒体の階調の変化を抑制することができる。
【図面の簡単な説明】
【００１０】
【図１】本実施形態に係る記録システムの構成を示すブロック図である。
【図２】記録システムの模式図である。
【図３】表示システムおける表示媒体を含んだ断面を模式的に示す図である。
【図４】コレステリック液晶の配向変化を説明する図である。
【図５】漏れ光の液晶層への影響を説明するグラフである。
【図６】記録システムの記録動作を説明する図である。
【図７】記録装置が表示体に対して電圧を印加する動作を示すフローチャートである。
【図８】記録装置が表示体に対して光を照射する動作を示すフローチャートである。
【図９】配向変化前に電圧印加が停止された位置に対して記録装置が光を照射する動作を示すフローチャートである。
【図１０】記録装置によって記録される画像の表示の一例を示す図である。
【図１１】記録装置における各部の状態の一例を示すグラフである。
【図１２】記録装置によって記録される画像の表示の一例を示す図である。
【図１３】記録装置における各部の状態の一例を示すグラフである。
【図１４】液晶層における液晶電圧の変化の一例を示す図である。
【図１５】液晶電圧の変化の一例を示す図である。
【発明を実施するための形態】
【００１１】
＜実施形態＞
図１は、本実施形態に係る記録システム１００の構成を示すブロック図である。記録システム１００は、記録装置１０、表示体２０、指示体３０及び位置情報出力装置４０を備える。表示体２０は、光の照射及び電圧の印加に応じて階調を変化させる表示媒体２００を有する。表示体２０は、本実施形態においては、コレステリック液晶を有する追記可能な電子ペーパである。表示体２０は、本発明における表示手段の一例に相当する。指示体３０は、利用者により操作される棒状の部材である。指示体３０は、利用者の操作によって、表示媒体２００の位置を指示する。位置情報出力装置４０は、表示媒体２００を覆って設置されている。位置情報出力装置４０は、タッチスクリーン４０１と、図示せぬ出力部とを有する。タッチスクリーン４０１は、接触された位置を検出する。タッチスクリーン４０１は、検出した位置を示す信号を出力部に供給する。出力部は、信号を出力する機能により、供給された信号を、インターフェース１３０に出力する。位置情報出力装置４０は、表示媒体２００において指示体３０により指示された位置（以下「指示位置」という。）を示す信号を、インターフェース１３０に出力する。
【００１２】
記録装置１０は、電圧印加部１１０、照射部１２０、インターフェース１３０、制御部１４０、記憶部１５０及び操作部１６０を備える。電圧印加部１１０は、電圧を発生させる電源部を有し、表示媒体２００に対して電圧Ｖを印加する。電圧印加部１１０は、本発明における電圧印加手段の一例に相当する。照射部１２０は、照射される光を透過させ、又は遮る複数の調光素子を有する液晶パネル１２１と、光を照射する光源であるバックライト１２２とを有する。バックライト１２２は、ＬＥＤ（Light Emitting Diode：発光ダイオード）等を有し、表示媒体２００に向けて光を照射する。照射部１２０は、本発明における照射手段の一例に相当する。
【００１３】
液晶パネル１２１は、２次元に配列されて画素を構成する複数の調光素子と、これらの調光素子を画素ごとに駆動させる駆動回路とを有する。駆動回路により駆動された調光素子は、画素単位で光の透過と遮断とを変化させる。制御部１４０は、複数の調光素子の各々を制御することによって光の照射位置を制御する。液晶パネル１２１は、画素単位でバックライト１２２の照射する光を透過させ、又は遮る。照射部１２０は、バックライト１２２から照射され、液晶パネル１２１を透過した光Ｌを、表示媒体２００に対して照射する。ここにおいて、透過とは、透過率１００％で透過させることに限るものではない。例えば、液晶パネル１２１は、液晶層２１０の配向を変化させる程度の光を透過させるが、全ての光を透過させることはできない場合がある。インターフェース１３０は、位置情報出力装置４０と通信する機能を有する。インターフェース１３０は、配線等を介して接続した位置情報出力装置４０と通信する。インターフェース１３０は、位置情報出力装置４０が出力する信号を受信する。インターフェース１３０は、受信した信号を制御部１４０へ供給する。
【００１４】
制御部１４０は、ＣＰＵ（Central Processing Unit）等の演算装置とメモリ等の記憶手段とを備え、記録装置１０の各部の動作を制御する。制御部１４０は、時刻を計測する機能により、経過する時間に基づいて各部を制御する。制御部１４０は、本発明における「第１の制御手段」、「第２の制御手段」及び「第３の制御手段」の一例に相当する。制御部１４０は、インターフェース１３０から供給された信号によって、表示媒体２００において指示体３０により指示された位置を検知する。本実施形態においては、制御部１４０とインターフェース１３０とが協働して、本発明における検知手段を実現する。記憶部１５０は、不揮発性メモリ等の記憶手段であって、制御部１４０によって検知された指示位置を示す情報等を記憶する。操作部１６０は、利用者が記録装置１０に対して各種操作を行うためのタッチスクリーン、ボタン等の操作手段であって、操作を示す情報を制御部１４０に出力する。
【００１５】
図２は、記録システム１００の模式図である。図２（ａ）では、記録システム１００の外観が模式的に示されている。記録装置１０は、筐体１０１及び保持部１０２を備えている。筐体１０１は、プラスチック等で構成される直方体の部材である。筐体１０１は、設置面Ｓ１０１を有する。筐体１０１の設置面Ｓ１０１側には、表示体２０が設置される。筐体１０１は、図示せぬ電圧印加部１１０、照射部１２０、インターフェース１３０、制御部１４０及び記憶部１５０を内部に収容する。筐体１０１は、設置面Ｓ１０１に露出する操作部１６０を備えている。筐体１０１の設置面Ｓ１０１側には、保持部１０２が設けられている。
【００１６】
保持部１０２は、プラスチック等で構成される部材である。保持部１０２は、表示体２０の端部を挟んで保持する。保持部１０２は、電圧印加部１１０と接続する図示せぬ電極を有する。保持部１０２が表示体２０を保持した場合、この電極は、表示媒体２００と接する。電圧印加部１１０は、保持部１０２を介して、表示媒体２００に電圧を印加する。保持部１０２は、インターフェース１３０と接続する図示せぬ端子を有する。保持部１０２が表示体２０を保持した場合、この端子は、図示せぬ位置情報出力装置４０の出力部と接する。位置情報出力装置４０は、保持部１０２を介して、インターフェース１３０に信号を出力する。
【００１７】
図２（ｂ）では、説明の便宜上、表示体２０からタッチスクリーン４０１を外した状態が模式的に示されている。タッチスクリーン４０１は、透明な部材を有し、光を透過する。タッチスクリーン４０１は、表示媒体２００を覆って設けられている。表示体２０は、表示媒体２００及びフレーム２０１を有する。フレーム２０１は、表示媒体２００の周りを囲む部材である。表示媒体２００は、タッチスクリーン４０１が設けられている側に、外部に露出する表示面Ｓ２００を有する。指示体３０は、タッチスクリーン４０１を介して表示面Ｓ２００の位置を指示する。本実施形態においては、表示面Ｓ２００上の位置が、本発明における「検知され得る位置」の一例に相当する。
【００１８】
図３は、表示システム１００における表示媒体２００を含んだ断面を模式的に示す図である。筐体１０１の内部には、設置面Ｓ１０１から順に液晶パネル１２１及びバックライト１２２が設けられている。筐体１０１の設置面Ｓ１０１側は、光を透過する部材を含んで構成され、光を透過する。バックライト１２２は、表示体２０が保持部１０２に保持されている状態において、表示媒体２００のあらかじめ決められた領域である記録面Ｒ２００に向けて光を照射する。液晶パネル１２１の調光素子は、表示面Ｓ２００に対応して設けられ、画素を構成する。液晶パネル１２１が印加される電圧によって制御されると、調光素子の各々は、バックライト１２２により照射される光を透過させ、又は遮る。このように、液晶パネル１２１は、バックライト１２２により照射される光を、画素単位で選択的に透過させる。
【００１９】
制御部１４０は、液晶パネル１２１及びバックライト１２２を制御して、表示媒体２００において検知した指示位置に、指示体３０が指示する側と反対の側から光を照射させる。液晶パネル１２１の画素を透過した光は、表示媒体２００の記録面Ｒ２００に入射する。記録面Ｒ２００は、表示媒体２００における表示面Ｓ２００の反対側の面である。また、記録面Ｒ２００は、表示面Ｓ２００に対応して設けられている。本実施形態においては、記録面Ｒ２００が、本発明における「あらかじめ決められた領域」の一例に相当する。
【００２０】
表示媒体２００は、表示面Ｓ２００側から順に、保護層２４１、透明電極２３１、液晶層２１０、吸収層２５０、感光層２２０、透明電極２３２及び保護層２４２を積層して構成される。保護層２４１，２４２は、例えば、ＰＥＴ（PolyEthylene Terephthalate：ポリエチレンテレフタラート）樹脂を含んで構成される。保護層２４１，２４２は、表示媒体２００の表面を保護する。
【００２１】
透明電極２３１，２３２は、液晶層２１０及び感光層２２０に電圧を印加するための透明な電極である。透明電極２３１，２３２は、例えば、ＩＴＯ（Indium-Tin Oxide：酸化インジウム錫）で構成されている。透明電極２３１，２３２は、それぞれ、表示体２０の外部に露出する図示せぬ電極を有する。これらの電極は、表示体２０が保持部１０２に保持された場合、保持部１０２側の電極と接触する。電圧印加部１１０は、これらの電極を介して透明電極２３１，２３２に電圧を印加する。
【００２２】
感光層２２０は、照射される光に応じて電気抵抗を変化させる層である。感光層２２０は、例えば、有機感光体を材料に含んで構成されている。感光層２２０は、材料の種類及びその組成によって定まる特定の波長帯の光を吸収する。感光層２２０は、光を吸収することにより、吸収前に比べて電気抵抗が減少する。吸収層２５０は、顔料又は染料等の光を吸収する材料を用いて組成される。吸収層２５０は、感光層２２０によって吸収された波長帯以外の波長帯の光を吸収する。吸収層２５０は、液晶層２１０が光を透過する場合に観察される。吸収層２５０は、材料の種類及びその組成によって定まる色で観察される。本実施形態では、吸収層２５０は、黒く観察される。
【００２３】
液晶層２１０は、バインダー樹脂中にマイクロカプセル状のコレステリック液晶表示素子（以下「コレステリック液晶」という。）が複数分散されて構成されている。表示媒体２００に電圧が印加されると、この電圧は、液晶層２１０、感光層２２０および吸収層２５０に分圧される。このとき、液晶層２１０に分圧される電圧を「液晶電圧」という。液晶層２１０は、液晶電圧により、内部に電界が発生する。コレステリック液晶は、この電界によって、配向状態を変化させる。コレステリック液晶は、いわゆる双安定性を有し、電界が発生していない状態においては、光を透過するフォーカルコニック配向、又は特定の波長の光を選択的に反射（ブラッグ反射）するプレーナ配向のいずれかを維持する。コレステリック液晶は、プレーナ配向の場合に高反射率の状態となり、本実施形態においては、白く観察される。なお、コレステリック液晶は、組成に応じた色の光を反射する。この場合、コレステリック液晶は、反射する光に応じた色で観察される。コレステリック液晶は、液晶層２１０内部の電界の強度に応じて、プレーナ配向からフォーカルコニック配向又はフォーカルコニック配向からホメオトロピック配向への変化を経て、プレーナ配向に配向状態を変化させる。
【００２４】
図４は、コレステリック液晶の配向変化を説明する図である。図４のグラフは、液晶電圧とこの液晶電圧が所定の時間印加された場合における液晶層２１０の反射率との関係の一例を示す。図４のグラフの横軸は液晶電圧を示し、縦軸は液晶層２１０の反射率を示している。図４の例では、コレステリック液晶は、液晶電圧が閾値Ｔｈ１未満である場合、元の配向状態を維持する。例えば、コレステリック液晶は、元がプレーナ配向であればプレーナ配向、元がフォーカルコニック配向であればフォーカルコニック配向を維持する。
【００２５】
コレステリック液晶は、液晶電圧が閾値Ｔｈ１以上で閾値Ｔｈ２未満の場合、フォーカルコニック配向となる。この場合、コレステリック液晶は、元がプレーナ配向であればフォーカルコニック配向に変化し、元がフォーカルコニック配向であればフォーカルコニック配向を維持する。コレステリック液晶は、液晶電圧が閾値Ｔｈ２以上になると、フォーカルコニック配向からホメオトロピック配向に変化する。コレステリック液晶は、ホメオトロピック配向の状態から液晶電圧を短時間で減少させると、プレーナ配向に変化する。また、コレステリック液晶は、ホメオトロピック配向の状態から液晶電圧をゆっくり減少させて閾値Ｔｈ２よりも小さくすると、フォーカルコニック配向に変化する。
【００２６】
このように、液晶層２１０は、液晶電圧に応じて反射率が変化することで、階調を変化させる。本実施形態においては、液晶層２１０は、表示媒体２００に対して電圧の印加および光の照射がされる前の状態では、プレーナ配向となっている。また、表示面Ｓ２００上において液晶層２１０がプレーナ配向となっている領域は、利用者によって白い領域と観察される。また、電圧の印加および光の照射によって液晶層２１０がフォーカルコニック配向となった表示面Ｓ２００上の領域は、利用者によって黒い領域と観察される。
【００２７】
制御部１４０は、検知した指示位置Ｐに対応する画素の光を透過させるように、液晶パネル１２１を制御する。液晶パネル１２１により透過された光は、記録面Ｒ２００から表示媒体２００に入射して、感光層２２０に吸収される。このため、液晶電圧が閾値Ｔｈ１より大きくなり、液晶層２１０の配向がフォーカルコニック配向となる。制御部１４０が各部を制御することにより、指示位置Ｐにおいては、表示媒体２００が黒くなる。利用者は、指示位置Ｐが黒くなることにより、画像を認識する。
【００２８】
制御部１４０は、表示媒体２００に光を照射させる前は液晶電圧が閾値Ｔｈ１よりも小さくなり、光を照射させた後は液晶電圧が閾値Ｔｈ１以上かつ閾値Ｔｈ２よりも小さくなる電圧を印加するように電圧印加部１１０を制御する。表示媒体２００にこの電圧が印加されている状態では、感光層２２０に照射された光のエネルギー量があるエネルギー量以上になると、液晶電圧が閾値Ｔｈ１以上となる。液晶電圧が閾値Ｔｈ１以上になると、コレステリック液晶の配向が、プレーナ配向からフォーカルコニック配向に変化する。
【００２９】
このように、表示媒体２００に電圧が印加された状態で、コレステリック液晶の配向をプレーナ配向からフォーカルコニック配向に変化させる光のエネルギー量の値を、「配向変化値」という。配向変化値は、表示媒体２００に印加される電圧の大きさに応じてあらかじめ決められる。例えば、光の照射前の液晶電圧が閾値Ｔｈ１に近い場合は、遠い場合と比べて、より少ない光のエネルギー量で液晶電圧が閾値Ｔｈ１に達する。このため、光の照射前の液晶電圧が閾値Ｔｈ１に近い場合は、遠い場合と比べて、配向変化値は小さい値となる。配向変化値は、本発明における「あらかじめ決められた量」の一例に相当する。
【００３０】
ところで、液晶パネル１２１は、バックライト１２２から照射される光の全てを遮ることはできない場合がある。この場合、液晶パネル１２１のうち、光を遮る部分においても、光が透過してしまう。液晶パネル１２１が光を遮る状態においても透過する光を「漏れ光」という。感光層２２０は、漏れ光にさらされることにより、光のエネルギーを蓄積する。コレステリック液晶は、感光層２２０に照射される光のエネルギー量が配向変化値に近づくにつれて、少しずつ配向を変化させる。このため、コレステリック液晶は、漏れ光によっても少しずつ配向が変化する。
【００３１】
図５は、漏れ光の液晶層２１０への影響を説明するグラフである。図５（ａ）は、時刻ｔにおける表示媒体２００に印加される電圧の有無を示している。制御部１４０は、時刻ｔ１から時刻ｔ２まで、電圧印加部１１０を制御して表示媒体２００に対して電圧を印加させる。制御部１４０は、電圧を印加させる間、照射部１２０を制御して表示媒体２００に対して光を照射させる。このため、図５（ｂ）に示すとおり、光を照射させている間、漏れ光が発生する。感光層２２０は、漏れ光を吸収して電気抵抗を変化させる。
【００３２】
図５（ｃ）は、時刻ｔにおける液晶電圧を示している。表示媒体２００に対して電圧の印加が開始される前は、液晶電圧は０である。時刻ｔ１に、液晶電圧は、電圧値Ｖａ１となる。電圧値Ｖａ１は、閾値Ｔｈ１よりも小さい。時刻ｔ１以後、徐々に液晶電圧が増加する。時刻ｔ２に、液晶電圧は、電圧値Ｖａ２となる。コレステリック液晶は、電圧値Ｖａ２の液晶電圧によって部分的に配向が変化する場合がある。表示媒体２００におけるこのコレステリック液晶を有する領域は、中間調（本実施形態においてはグレー）となる。
【００３３】
図６は、記録システム１００の記録動作を説明する図である。まず、制御部１４０は、利用者により指示された指示位置Ｐを検知する。図６において、軌跡Ｙは、利用者により連続して指示された軌跡を示している。指示位置Ｐを検知すると、制御部１４０は、電圧印加部１１０を制御して、表示媒体２００に電圧を印加させる。続いて、制御部１４０は、軌跡Ｙに対応する画素を透過させた光Ｌを出射させるように、照射部１２０を制御する。光Ｌは、保護層２４２および透明電極２３２を透過して感光層２２０へ到達する。光Ｌが照射された位置においては、液晶電圧が増加し、コレステリック液晶の配向がフォーカルコニック配向となる。この結果、利用者によって指示された軌跡Ｙに画像が表示される。
【００３４】
図７は、記録装置１０が表示体２０に対して電圧を印加する動作を示すフローチャートである。この動作は、記録装置１０が表示体２０に画像を記録する動作の一部である。図７に示すフローチャートに示される処理は、制御部１４０が記録動作の開始を指示する操作信号を取得したことを契機に開始される。また、記録動作の開始に際しては、表示体２０が保持部１０２に保持されているものとする。まず、制御部１４０は、インターフェース１３０が指示位置を検知したか否かを判断する（ステップＳ１１０）。インターフェース１３０が指示位置を検知している場合（ステップＳ１１０：Ｙｅｓ）、制御部１４０は、電圧印加部１１０が表示媒体２００に対して電圧を印加しているか否かを判断する（ステップＳ１２０）。電圧が印加されていない場合（ステップＳ１２０：Ｎｏ）、制御部１４０は、表示媒体２００に対して電圧を印加させる（ステップＳ１３０）。そして、制御部１４０は、ステップＳ１１０の処理を実行する。ステップＳ１２０において、電圧印加部１１０が電圧を印加している場合、制御部１４０は、ステップＳ１１０の処理を実行する。
【００３５】
ステップＳ１１０において、インターフェース１３０が位置を検知していない場合（ステップＳ１１０：Ｎｏ）、制御部１４０は、電圧印加部１１０による電圧の印加を停止させる（ステップＳ１４０）。続いて、制御部１４０は、インターフェース１３０が指示位置を検知したか否かを判断する（ステップＳ１５０）。インターフェース１３０が指示位置を検知している場合（ステップＳ１５０：Ｙｅｓ）、制御部１４０は、ステップＳ１２０の処理を実行する。インターフェース１３０が指示位置を検知していない場合（ステップＳ１５０：Ｎｏ）、制御部１４０は、動作停止の条件が満たされているか否かを判断する（ステップＳ１６０）。条件が満たされていない場合（ステップＳ１６０：Ｎｏ）、制御部１４０は、ステップＳ１５０の処理を実行する。ここで、動作停止の条件とは、本実施形態においては、操作部１６０から動作停止の指示があった場合である。なお、動作停止の条件は、インターフェース１３０が位置をあらかじめ決められた期間検知していない場合としてもよい。ステップＳ１６０において、動作停止の条件が満たされている場合（ステップＳ１６０：Ｙｅｓ）、制御部１４０は、動作を終了する。
【００３６】
制御部１４０は、ステップＳ１１０からステップＳ１６０までの処理を、あらかじめ決められた時間（以下「単位処理時間」という。）で実行する。制御部１４０は、ステップの番号が小さい処理に戻る場合は、次の単位処理時間に実行する。単位処理時間は、演算装置の計測可能な時間の範囲であらかじめ決められる。
以上のように動作することで、制御部１４０は、インターフェース１３０が指示位置を検知する間、電圧印加部１１０を制御して表示媒体２００に対して電圧を印加させる。
【００３７】
図８は、記録装置１０が表示体２０に対して光を照射する動作を示すフローチャートである。制御部１４０は、液晶パネル１２１が有する画素ごとに、光を照射する動作の制御を行う。まず、制御部１４０は、指示位置が検知されたか否かを判断する（ステップＳ２１０）。指示位置が検知されていない場合（ステップＳ２１０：Ｎｏ）、制御部１４０は、ステップＳ２１０の処理を繰り返す。指示位置が検知された場合（ステップＳ２１０：Ｙｅｓ）、制御部１４０は、その指示位置に対応する画素を透過した光が感光層２２０に吸収されて蓄えられる光のエネルギー量の初期値を、記憶部１５０に記憶させる（ステップＳ２２０）。本実施形態においては、この初期値は、０とする。続いて、制御部１４０は、照射部１２０を制御して、この画素を透過する光を照射させる（ステップＳ２３０）。そして、制御部１４０は、この画素に対応するエネルギー量に単位エネルギー量を加算して記憶部１５０に記憶させる（ステップＳ２４０）。ここで、単位エネルギー量とは、単位処理時間にひとつの画素を透過した光によって、感光層２２０に蓄えられる光のエネルギー量を示す。本実施形態においては、記憶部１５０は、単位エネルギー量の値をあらかじめ記憶している。
【００３８】
次に、制御部１４０は、電圧印加部１１０が表示媒体２００に対して電圧を印加しているか否かを判断する（ステップＳ２５０）。電圧印加部１１０が電圧を印加している場合（ステップＳ２５０：Ｙｅｓ）、制御部１４０は、続けて、この画素に対応するエネルギー量が配向変化値よりも小さいか否かを判断する（ステップＳ２６０）。エネルギー量が配向変化値よりも小さい場合（ステップＳ２６０：Ｙｅｓ）、制御部１４０は、ステップＳ２３０へ戻って処理を繰り返す。以上の処理を繰り返すことにより、このように、連続する単位処理時間において指示位置が検知されていると、制御部１４０は、光を照射させ続ける。また、単位処理時間に指示位置が一度でも検知されないと、制御部１４０は、光の照射と電圧の印加とを停止させる。
【００３９】
ステップＳ２６０において、エネルギー量が配向変化値以上である場合（ステップＳ２６０：Ｎｏ）、制御部１４０は、照射部１２０による光の照射を停止させ（ステップＳ２７０）、処理を終了する。ステップＳ２５０において、電圧印加部１１０が表示媒体２００に対して電圧を印加していない場合（ステップＳ２５０：Ｎｏ）、制御部１４０は、照射部１２０による光の照射を停止させ（ステップＳ２８０）、ステップＳ３１０の処理を実行する。制御部１４０は、ステップＳ２１０からステップＳ２７０又はステップＳ２８０までの処理を、単位処理時間に実行する。また、制御部１４０は、ステップの番号が小さい処理に戻る場合は、次の単位処理時間に実行する。
【００４０】
図９は、配向変化前に電圧印加が停止された画素に対して記録装置１０が光を照射する動作を示すフローチャートである。まず、制御部１４０は、光照射を再開する条件が満たされたか否かを判断する（ステップＳ３１０）。本実施形態においては、制御部１４０は、あらかじめ決められた期間以内に指示位置を検知しない場合に、光照射を再開する。なお、光照射を再開する条件は、利用者による操作があった場合としてもよい。ステップＳ３１０において、条件が満たされない場合（ステップＳ３１０：Ｎｏ）、制御部１４０は、ステップＳ３１０の処理を繰り返す。ステップＳ３１０において、条件が満たされた場合（ステップＳ３１０：Ｙｅｓ）は、制御部１４０は、電圧印加部１１０を制御して表示媒体２００に電圧を印加させる（ステップＳ３２０）。
【００４１】
続いて、制御部１４０は、照射部１２０を制御して、記録面Ｒ２００における配向変化前に電圧印加が停止された画素に対応する位置に対して、光を照射させる（ステップＳ３３０）。そして、制御部１４０は、この画素に対応するエネルギー量に単位エネルギー量を加算して記憶部１５０に記憶させる（ステップＳ３４０）。次に、制御部１４０は、この画素に対応するエネルギー量が配向変化値よりも小さいか否かを判断する（ステップＳ３５０）。エネルギー量が配向変化値よりも小さい場合（ステップＳ３５０：Ｙｅｓ）、制御部１４０は、ステップＳ３３０へ進み、ステップＳ３３０からステップＳ３５０までの処理を繰り返す。このように、制御部１４０は、この画素に対応するエネルギー量が配向変化値に達するまで、光を照射させる。制御部１４０は、以上の処理を実行することで、指示位置を検知している期間に、指示位置のそれぞれに対して、照射される光のエネルギー量があらかじめ決められた量以上になる時間の長さで光を照射させるように、照射部１２０を制御する。
【００４２】
ステップＳ３５０において、エネルギー量が配向変化値以上となった場合（ステップＳ３５０：Ｎｏ）、制御部１４０は、照射部１２０を制御してこの画素を透過する光の照射を停止させる（ステップＳ３６０）。ここで、制御部１４０は、この画素以外のエネルギー量であって、配向変化値よりも小さいエネルギー量が記憶部１５０に記憶されているか否かを判断する（ステップＳ３７０）。配向変化値よりも小さいエネルギー量が記憶されていなければ（ステップＳ３７０：Ｎｏ）、制御部１４０は、電圧印加部１１０を制御して電圧の印加を停止させる（ステップＳ３８０）、処理を終了する。記憶されていれば（ステップＳ３７０：Ｙｅｓ）、制御部１４０は、そのまま処理を終了する。
【００４３】
図１０は、記録装置１０によって記録される画像の表示の一例を示す図である。図１０（ａ）においては、表示面Ｓ２００上の軌跡Ｙａ１，Ｙａ２を破線で示す。図１０（ａ）の例では、軌跡Ｙａ１は、指示位置Ｐａ１からＰａ８まで連続して指示された軌跡である。軌跡Ｙａ２は、指示位置Ｐａ９からＰａ１２まで連続して指示された軌跡である。図１０（ｂ）は、軌跡Ｙａ１，Ｙａ２に画像が表示される様子を示す図である。図１０（ｂ）においては、軌跡Ｙａ１，Ｙａ２の指示位置Ｐａ１，Ｐａ２，・・・，Ｐａ１２を強調して示している。コレステリック液晶は、液晶層２１０にかかる電圧が増加してプレーナ配向からフォーカルコニック配向に変化する場合、ある程度の時間を必要とする。このため、これらの指示位置においては、指示された時点よりも配向が変化する時間遅れて黒く変化する。図１０（ｂ）の例では、指示位置Ｐａ１２まで指示された時点で、指示位置Ｐａ１からＰａ５までは黒く変化しており、指示位置Ｐａ６からＰａ１２までは白いままである。
【００４４】
図１１は、記録装置１０における各部の状態の一例を示すグラフである。図１１の例では、図１０に示される画像が記録される場合における、時系列に沿った各部の状態を示す。図１１（ａ）は、時刻ｔにおいて、制御部１４０が指示位置を検知したか否かを示す。制御部１４０は、時刻ｔ１に指示位置を検知し、時刻ｔ２まで指示位置を連続的に検知する。制御部１４０は、時刻ｔ２からｔ３まで指示位置を検知しない。制御部１４０は、時刻ｔ３からｔ４まで指示位置を連続的に検知する。制御部１４０は、時刻ｔａ１０以降、指示位置を検知しない。図１１（ａ）の例では、指示位置が連続的に検知される時刻ｔ１からｔ２までの期間が、本発明における「第１の期間」の一例に相当する。また、時刻ｔ１からｔ２までの期間（第1の期間）後であってこの期間に連続せず、指示位置が連続的に検知される時刻ｔ３からｔ４までの期間が、本発明における「第２の期間」の一例に相当する。
【００４５】
図１１（ｂ）は、時刻ｔにおいて、電圧印加部１１０による表示媒体２００に対する電圧の印加があるか否かを示す。制御部１４０は、指示位置を検知している間、電圧印加部１１０を制御して表示媒体２００に対して電圧を印加させる。図１１（ｃ）、（ｄ）、（ｅ）は、それぞれ図１０における指示位置Ｐａ２，Ｐａ５，Ｐａ１０に対応する画素を透過した光が、照射されているか否かを示す。制御部１４０は、指示位置Ｐａ２，Ｐａ５，Ｐａ１０に対応する指示位置をそれぞれ時刻ｔａ２，ｔａ５，ｔａ１０に検知する。ここで、照射部１２０が時間Ｘ連続してこれらの指示位置に対応する画素を透過した光を照射した場合、この画素に対応するエネルギー量が配向変化値に達するものとする。
【００４６】
制御部１４０は、時刻ｔａ２から時刻（ｔａ２＋Ｘ）まで、照射部１２０を制御して、指示位置Ｐａ２に対応する画素を透過させた光を照射させる。制御部１４０は、時刻ｔａ５から、指示位置Ｐａ５に対応する画素を透過させた光を照射させる。ここで、時刻ｔａ５からｔ２までの期間は、時間Ｘよりも短いものとする。制御部１４０は、時刻ｔ２に電圧の印加を停止させ、光の照射も停止させる。時刻ｔ２の時点では、指示位置Ｐａ５におけるエネルギー量は、配向変化値に達していない。制御部１４０は、再び指示位置を検知する時刻ｔ３に、指示位置Ｐａ５に対応する画素を透過させた光を再び照射させる。
【００４７】
このように、制御部１４０は、時刻ｔ１からｔ２までの期間（第１の期間に相当）に指示位置が連続的に検知され、かつ、この期間後であってこの期間に連続しない時刻ｔ３から始まる期間（第２の期間に相当）に指示位置が連続的に検知された場合に、光を照射させる。この場合、制御部１４０は、第１の期間に検知した指示位置のうち、エネルギー量があらかじめ決められた量に満たない指示位置に対して、第２の期間に光を照射させる。制御部１４０は、時刻ｔ２から時刻ｔ３までの期間を除いて時刻ｔａ５から時間Ｘが経過する時刻（ｔａ５＋（ｔ３−ｔ２）＋Ｘ）に、光の照射を停止させる。
【００４８】
制御部１４０は、時刻ｔａ１０から、指示位置Ｐａ１０に対応する画素を透過させた光を照射させる。ここで、時刻ｔａ１０からｔ４までの期間は、時間Ｘよりも短いものとする。制御部１４０は、時刻ｔ４に電圧の印加を停止させ、光照射も停止させる。時刻ｔ４の時点では、指示位置Ｐａ１０におけるエネルギー量は、配向変化値に達していない。制御部１４０は、時刻ｔ４からあらかじめ決められた時間が経過した時刻ｔ５に、表示媒体２００に対する電圧の印加を開始させる。そして、制御部１４０は、指示位置Ｐａ１２に対応する画素を透過させた光を照射させる。制御部１４０は、時刻ｔ４から時刻ｔ５までの期間を除いて時刻ｔａ１０から時間Ｘが経過する時刻（ｔａ１０＋（ｔ５−ｔ４）＋Ｘ）に、光の照射および電圧の印加を停止させる。このように、制御部１４０は、時刻ｔ３からｔ４までの期間（第１の期間に相当）に指示位置を検知した後、光照射を再開する条件が満たされた場合に、第１の期間に検知した指示位置のうちのエネルギー量の値が配向変化値に満たない指示位置に対して光を照射させる。
【００４９】
図１２は、記録装置１０によって記録される画像の表示の一例を示す図である。図１２の例では、軌跡Ｙｂ１は、指示位置Ｐｂ１からＰｂ８まで連続して指示された軌跡である。軌跡Ｙｂ２は、指示位置Ｐｂ９からＰｂ１０まで連続して指示された軌跡である。軌跡Ｙｂ３は、指示位置Ｐｂ１１からＰｂ１４まで連続して指示された軌跡である。図１２の例は、軌跡Ｙｂ１，Ｙｂ２，Ｙｂ３に画像が表示される様子を示している。図１２においては、指示位置Ｐｂ１，Ｐｂ２，・・・，Ｐｂ１４を強調して示している。図１２の例では、指示位置Ｐｂ１４まで指示された時点では、指示位置Ｐｂ１からＰｂ６までは黒く変化しており、指示位置Ｐｂ７からＰｂ１４までは白いままである。
【００５０】
図１３は、記録装置１０における各部の状態の一例を示すグラフである。図１３の例では、図１２に示される画像が記録される場合における、時系列に沿った各部の状態を示す。図１３（ａ）は、時刻ｔにおいて、制御部１４０が指示位置を検知したか否かを示す。制御部１４０は、時刻ｔ１からｔ２と、時刻ｔ３からｔ４と、時刻ｔ５からｔ６とに指示位置を連続的に検知する。図１３（ａ）の例では、時刻ｔ１からｔ２までの期間が、本発明における「第１の期間」の一例に相当する。また、時刻ｔ３からｔ４までの期間および時刻ｔ５からｔ６までの期間が本発明における「第２の期間」の一例に相当する。
【００５１】
図１３（ｂ）は、時刻ｔにおいて、電圧印加部１１０による表示媒体２００に対する電圧の印加があるか否かを示す。制御部１４０は、指示位置を検知している間、電圧印加部１１０を制御して表示媒体２００に対して電圧を印加させる。図１３（ｃ）は、図１２における指示位置Ｐｂ６に対応する画素を透過した光が、照射されているか否かを示す。制御部１４０は、時刻ｔｂ６から、指示位置Ｐｂ６に対応する画素を透過させた光を照射させる。ここで、時刻ｔｂ６からｔ２までの期間と時刻ｔ３からｔ４までの期間とを合わせた期間は、時間Ｘよりも短いものとする。
【００５２】
制御部１４０は、時刻ｔ２からｔ３までの期間と時刻ｔ４からｔ５までの期間とに電圧の印加を停止させ、光照射も停止させる。時刻ｔ３およびｔ５の時点では、指示位置Ｐｂ６におけるエネルギー量は、配向変化値に達していない。制御部１４０は、時刻ｔ３およびｔ５に、指示位置Ｐｂ６に対応する画素を透過させた光を照射させる。制御部１４０は、時刻ｔ２からｔ３までの期間と時刻ｔ４からｔ５までの期間とを除いて時刻ｔｂ６から時間Ｘが経過する時刻（ｔｂ６＋（ｔ３−ｔ２）＋（ｔ５−ｔ４）＋Ｘ）に指示位置Ｐｂ６への光照射を停止させる。以上のとおり、制御部１４０は、第２の期間が複数回に渡る場合でも、照射部１２０を制御して、各指示位置におけるエネルギー量の値が配向変化値以上になる時間の長さで、光を照射させる。
【００５３】
以上、本発明の実施形態について説明したが、本発明は以下のように、さまざまな形態で実施可能である。
＜変形例１＞
制御部１４０は、時間Ｘを電圧の印加と光の照射とが停止されている期間の長さに応じて変化させてもよい。コレステリック液晶は、プレーナ配向からフォーカルコニック配向に徐々に変化するときに、電圧の印加と光の照射とが停止されると変化した配向が元に戻る場合がある。このため、制御部１４０は、光を照射する期間を長くして、コレステリック液晶の配向を変化させる。例えば、電圧の印加と光の照射とが停止されている期間の長さに適当な係数を乗じた値を、時間Ｘに加えるといった具合である。
【００５４】
＜変形例２＞
制御部１４０は、指示位置を検知している期間があらかじめ決められた時間以上連続した場合に、光の照射を一時的に中断させるように各部を制御してもよい。例えば、制御部１４０は、あらかじめ決められた時間を時間Ｚ、一時的に中断させる時間を時間Ｗとした場合、時間Ｗの経過後に再び光の照射を開始した際、時間Ｘに時間Ｗを加算して各部を制御する。光の照射が一時的に中断されると、感光層２２０は、漏れ光により蓄えた光のエネルギーを失う。これにより、再び光が照射されたときの液晶電圧は、光の照射が中断される前に比べて減少する。このため、漏れ光による液晶層２１０の配向変化が減少する。制御部１４０がこのように各部を制御すると、制御部１４０が光の照射を一時的に中断しない場合に比べて、表示される画像のコントラストの減少が抑制される。
【００５５】
図１４は、液晶層２１０における液晶電圧の変化の一例を示す図である。図１４（ａ）は、時刻ｔにおいて、制御部１４０が指示位置を検知したか否かを示す。この例では、制御部１４０は、時刻ｔｃ１から時刻ｔｃ４まで、指示位置を連続的に検知している。ここで、時刻ｔｃ１から時刻ｔｃ４までの時間は、時間Ｚよりも長いものとする。図１４（ｂ）は、時刻ｔにおいて、電圧印加部１１０による表示媒体２００に対する電圧の印加があるか否かを示す。この例では、制御部１４０は、電圧印加部１１０を制御して、時刻ｔｃ１から時間Ｚが経過した時刻ｔｃ２に、電圧の印加を停止させている。そして、制御部１４０は、時刻ｔｃ２から時間Ｗが経過した時刻ｔｃ３に、再び電圧を印加させている。この場合、制御部１４０は、指示位置に対応する画素を透過させた光の照射も、時刻ｔｃ２からｔｃ３まで停止させるように照射部１２０を制御する。
【００５６】
図１４（ｃ）は、時刻ｔにおける漏れ光の有無を示す図である。時刻ｔｃ２からｔｃ３にかけては、光の照射が停止しているため、漏れ光は生じない。図１４（ｄ）は、表示媒体２００の漏れ光が照射される位置における液晶電圧の変化を示す図である。時刻ｔｃ１における液晶電圧の値は、電圧値Ｖｃ１である。時刻ｔｃ１からｔｃ２にかけては、漏れ光が感光層２２０に吸収されるため、液晶電圧は少しずつ増加する。時刻ｔｃ２に、制御部１４０が光の照射と電圧の印加とを停止させると、液晶電圧の値は、０となる。時刻ｔｃ３に、制御部１４０が光の照射と電圧の印加とを再開させると、感光層２２０が漏れ光により蓄積したエネルギーを失っているため、液晶電圧は電圧印加前の電圧値Ｖｃ１となる。このため、時刻ｔｃ２以降、光の照射と電圧の印加とを時刻ｔｃ１からｔｃ４まで連続させた場合の液晶電圧の値Ｖｃ４と比べて、液晶電圧は小さくなり、液晶層２１０の配向の変化が抑えられる。
【００５７】
ここで、感光層２２０は、照射部１２０による光の照射が停止した後、電気抵抗が光の照射前の状態になるまでに時間を要する。本変形例においては、この時間をτという。時間τは、感光層２２０が吸収した光のエネルギーを失うまでに要する時間である。また、時間τは、感光層２２０の組成によって決まる時間である。このため、液晶電圧は、照射部１２０による光の照射が停止した後、時間τが経過した後に光の照射前の状態に戻る。
【００５８】
図１５は、液晶電圧の変化の一例を示す図である。図１５（ａ）は、各時刻における漏れ光の有無を示している。図１５（ａ）の例では、時刻ｔｄ１からｔｄ２までと時刻ｔｄ３からｔｄ４までとに、漏れ光が表示媒体２００に対して照射されている。図１５（ｂ）に示すように、表示媒体２００において、漏れ光が照射されている位置の液晶電圧は、漏れ光の照射が停止する時刻ｔｄ２から時間τ経過後に、漏れ光の照射前の電圧値Ｖｄ０となる。このため、制御部１４０は、時間τ以上の時間Ｗで光の照射を停止させることが望ましい。一方、表示媒体２００に対する光の照射が停止されて時間が経過すると、配向を変化させるべき液晶層２１０の領域において、変化の途上にあるコレステリック液晶の配向が元に戻る場合がある。制御部１４０は、コレステリック液晶の配向が戻るのに要する時間と、時間τとに応じて光の照射を制御することが望ましい。
【００５９】
＜変形例３＞
上述した実施形態においては、照射部１２０は、液晶パネル１２１とバックライト１２２とで構成されたが、画素毎に光を照射する自発光型の素子で構成されてもよい。例えば、照射部１２０は、有機ＥＬ（Electro Luminescence）で構成されてもよい。この場合、光を照射しない画素では光を発生させないため、漏れ光が発生しない。このため、制御部１４０が位置を検知する期間が長い場合であっても、指示位置以外の領域における液晶層２１０の配向の変化が抑制される。
【００６０】
＜変形例４＞
本発明は、中間調を表示する場合、すなわち３以上の階調数で情報を表示する場合にも適用され得る。本発明は、例えば、コレステリック液晶の配向状態が変わる際の過渡状態を利用して中間値を表現してもよいし、階調に応じて照射する光の強度又は光を照射する期間を変えて記録することで中間値を表現してもよい。また、本発明は、いわゆるモノクロ表示に限定されるものではない。本発明は、例えば、青（４００から５００ｎｍ程度）、緑（５００から５８０ｎｍ程度）、赤（５７５から７００ｎｍ程度）のそれぞれの波長域の光を選択的に反射し、その他の波長域の光を透過する表示素子層を積層した表示媒体と、かかる表示媒体のそれぞれの表示素子層に独立に電圧を印加するように構成された記録装置とによる記録システムに適用されれば、カラー表示が実現される。
【００６１】
＜変形例５＞
上述した実施形態においては、タッチスクリーンを用いて指示位置を検知したが、指示位置を検知することができるものであれば、他の公知の技術を用いてもよい。例えば、特開２００７−２４１４０５号公報には、複数の縦コイルおよび複数の横コイルとＬＣ共振回路との間で電磁誘導を生じさせてペン先位置を検出する技術が開示されている。また、この技術であれば、位置情報出力装置４０を表示面Ｓ２００から離して設置可能である。このため、記録装置１０は、位置情報出力装置４０を含んで構成されてもよい。例えば、位置情報出力装置４０は、筐体１０１の内部で、バックライト１２２の液晶パネル１２１とは反対側に設置されてもよい。
【００６２】
＜変形例６＞
上述した実施形態においては、記録装置１０と表示体２０とは分けて構成されていたが、記録装置１０と表示体２０とが一体で構成されてもよい。この場合、記録装置１０と表示体２０とは、一体となって表示面Ｓ２００に画像を表示する表示装置として機能する。例えば、筐体１０１と表示体２０とが一体となった構成である。この場合、表示体２０は、液晶パネル１２１を挟んでバックライト１２２の反対側に設置すればよい。また、保持部１０２は不要となり、表示体２０が有する電極と電圧印加部１１０とは、筐体１０１の内部で接続されていればよい。
【００６３】
＜変形例７＞
上述した実施形態においては、制御部１４０は、指示位置が検知されている期間と表示媒体２００に対して電圧を印加させる期間とを一致させるように制御したが、これらの期間は一致していなくともよい。例えば、制御部１４０は、指示位置が検知されてからあらかじめ決められた時間経過してから電圧を印加させてもよい。また、制御部１４０は、指示位置の検知の有無に関係なく、あらかじめ決められた期間ごとに、電圧の印加と電圧の印加の停止とを繰り返すように制御してもよい。この場合も、制御部１４０は、電圧を印加させる期間に合わせて光を照射させ、エネルギー量が配向変化値に達するまで光を照射するように、照射部１２０を制御する。このように制御部１４０が制御しても、定期的に電圧の印加が停止するため、漏れ光による配向の変化は抑制される。
【００６４】
＜変形例８＞
上述した実施形態においては、制御部１４０は、エネルギー量が配向変化値に達していない画素に対しては、第２の期間の開始から光を照射させるように制御したが、第２の期間の開始と光の照射の開始とを一致させなくともよい。例えば、制御部１４０は、第２の期間が開始されてからあらかじめ決められた時間経過してから光を照射させてもよい。この場合でも、制御部１４０は、この画素に対応するエネルギー量が配向変化値に達するまで光を照射するように照射部１２０を制御する。
【００６５】
＜変形例９＞
制御部１４０は、既にフォーカルコニック配向となっている位置を指示された場合、光の照射と電圧の印加を停止させてもよい。制御部１４０が光の照射と電圧の印加とを停止させると、感光層２２０は、吸収された漏れ光のエネルギーを失う。制御部１４０がこのように各部を制御することにより、既にフォーカルコニック配向となっている位置を指示された場合に光の照射と電圧の印加をする場合に比べて、漏れ光による配向の変化が抑制される。
【００６６】
＜変形例１０＞
上述した実施形態においては、制御部１４０は、表示媒体２００に対して光を照射する期間と電圧を印加させる期間とを一致させるように制御したが、これらの期間は一致していなくともよい。例えば、制御部１４０は、電圧が印加されてからあらかじめ決められた時間経過してから光を照射させてもよい。制御部１４０は、電圧印加部１１０による電圧の印加に応じて、光を照射するように照射部１２０を制御すればよい。
【符号の説明】
【００６７】
１０…記録装置、２０…表示体、３０…指示体、４０…位置情報出力装置、１００…表示システム、１０１…筐体、１０２…保持部、１１０…電圧印加部、１２０…照射部、１２１…液晶パネル、１２２…バックライト、１３０…インターフェース、１４０…制御部、１５０…記憶部、１６０…操作部、２００…表示媒体、２０１…フレーム、４０１…タッチスクリーン
【図１】
2011197252.tif 000003
【図２】
2011197252.tif 000004
【図３】
2011197252.tif 000005
【図４】
2011197252.tif 000006
【図５】
2011197252.tif 000007
【図６】
2011197252.tif 000008
【図７】
2011197252.tif 000009
【図８】
2011197252.tif 000010
【図９】
2011197252.tif 000011
【図１０】
2011197252.tif 000012
【図１１】
2011197252.tif 000013
【図１２】
2011197252.tif 000014
【図１３】
2011197252.tif 000015
【図１４】
2011197252.tif 000016
【図１５】
2011197252.tif 000017